(57)【要約】      （修正有）【課題】紡糸口金の検査に要する人手や時間を軽減し、簡便に紡糸口金を検査することが可能な紡糸口金の検査装置及び検査方法を提供する。【解決手段】光源部２と、光源からの光を投影レンズ７に導く集光レンズ３と、集光レンズ３を経た光を投影する投影レンズ７を具備するプロジェクタにおいて、光源からの光を通す開口部を有し、かつ集光レンズ３に隣接して光源からの光を遮光する紙または板４を備え、集光レンズ３から投影レンズ７の間に存在し、外部からの光を遮光する筒体６を備えた検査装置にて紡糸口金を検査する。【選択図】図１
2011122955.tif 000002
【特許請求の範囲】
【請求項１】
光源と、光源からの光を投影レンズに導く集光レンズと、集光レンズを経た光を投影する投影レンズを具備するプロジェクタにおいて、光源からの光を通す開口部を有し、かつ集光レンズに隣接して光源からの光を遮光する紙または板を備え、集光レンズから投影レンズの間に存在し、外部からの光を遮光する筒体を備えた紡糸口金検査装置。
【請求項２】
請求項１に記載の紡糸口金検査装置を用い、光源からの光を遮光する紙または板の開口部に被検査体の紡糸口金を載置し、光源からの光を被検査体に照射し、光の通過により形成された像を投影レンズで拡大して被検査体の紡糸孔を検査することからなる紡糸口金の検査方法。
【発明の詳細な説明】
【技術分野】
【０００１】
本発明は、紡糸口金の検査装置及び検査方法に関する。
【背景技術】
【０００２】
たばこフィルタ素材、衣料素材等として好適なセルロースジアセテート繊維は、一般的にはアセトンを溶剤とする乾式紡糸法にて製造されるが、この乾式紡糸においては、紡糸口金の紡糸孔が汚れていたり、異物が孔内に付着して孔が詰まっていたりすると、紡糸時の糸切れの原因となり紡糸ができなくなるという問題が発生するため、使用に先立ち紡糸口金の紡糸孔を清浄にするとともに清浄処理した紡糸口金を予め検査することは極めて重要なことである。
【０００３】
セルロースジアセテート繊維の乾式紡糸における紡糸口金は、一般に孔径０．０５ｍｍ程度の孔が数百から数千ケ有し、個々の孔を一つ一つ光学顕微鏡で検査するには、莫大な人手と時間を要するという問題がある。さらに、この紡糸口金は、加工性、製作精度、或いはコスト面から、ＳＵＳ３１６といったステンレス鋼が広く用いられ、直径３〜３．７インチ、板厚み１．５ｍｍ程度であることか、紡糸時に紡糸原液の背圧によって吐出面側に膨れ、湾曲しているのが常態である。
【０００４】
一方で、特許文献１で提案されているように、紡糸口金の検査方法は、ＣＣＤカメラ及び画像解析技術の進歩により著しく高精度化しているが、この高精度化された方法でも紡糸口金の湾曲化に伴う焦点合わせのタイムロス及び検査システム費用の高額化等で問題がある。
【先行技術文献】
【特許文献】
【０００５】
【特許文献１】特開平７−２４３８３１号公報
【発明の概要】
【発明が解決しようとする課題】
【０００６】
本発明の目的は、従来の紡糸口金の検査における問題点を改善し、検査に要する人手や時間を軽減し、簡便に紡糸口金を検査することが可能な紡糸口金検査装置及び紡糸口金検査方法を提供することにある。
【課題を解決するための手段】
【０００７】
本発明の第一の要旨は、光源と、光源からの光を投影レンズに導く集光レンズと、集光レンズを経た光を投影する投影レンズを具備するプロジェクタにおいて、光源からの光を通す開口部を有し、かつ集光レンズに隣接して光源からの光を遮光する紙または板を備え、集光レンズから投影レンズの間に存在し、外部からの光を遮光する筒体をを備えた紡糸口金検査装置、にある。
また、本発明の第二の要旨は、前記の紡糸口金検査装置を用い、光源からの光を遮光する紙または板の開口部に被検査体の紡糸口金を載置し、光源からの光を被検査体に照射し、光の通過により形成された像を投影レンズで拡大して被検査体の紡糸孔を検査することからなる紡糸口金の検査方法、にある。
【発明の効果】
【０００８】
本発明は、紡糸口金を簡便に極めて短時間の作業で検査することが可能でありながら、従来の個々の孔を光学顕微鏡で検査する方法と同等の検査精度を有し、オーバーヘッドプロジェクタ等の汎用のプロジェクタを利用して検査装置を構成することができるため検査機器の投資費用が小さく、検査作業のランニングコストを極めて低減させるものである。
【図面の簡単な説明】
【０００９】
【図１】本発明の紡糸口金検査装置の概要構成図である。
【図２】被検査体載置部分の分解図である。
【発明を実施するための形態】
【００１０】
以下、本発明の検査装置について、図面に基づいて説明する。
図１は、本発明の紡糸口金検査装置の一例の概要構成図である。図１において、１はオーバーヘッドプロジェクタ本体であって、プロジェクタ本体１は、光源（図示なし）、光源からの光を投影レンズに導く集光レンズ３と、集光レンズを経た像を拡大して投影する投影レンズ７、反射鏡８を備えて構成され、光源からの光を被検査体に照射し、被検査体の紡糸孔を大画面で表示し得る装置である。また、図１において、２は光量の調整可能な光源部、４は光源からの光を遮光する型紙、５は被検査体の紡糸口金、６は紙製円筒体である。
【００１１】
図２は、被検査体載置部分の分解図である。図２において、前記のとおり、４は光源からの光を遮光する型紙、５は被検査体の紡糸口金、６は筒体であるが、型紙４は、被検査体である紡糸口金５のサイズ径に応じてサイズ径より大であって紡糸口金５と相似形に切り欠いた開口部を型紙のほぼ中央部の設けることが好ましい。この開口部が大きすぎると、遮光効果が低下する。
【００１２】
また、筒体６は、集光レンズから投影レンズの間に存在し、外部からの光を遮光する筒体である。筒体６は、被検査体を囲んで覆うことが可能な径の円筒体であることが好ましく、その上部及び下部が開口した筒体である。筒体６の長さは、外部からの光を遮光するうえで、受け台のある集光レンズ３と投影レンズ７との距離より少し短いことが好ましく、筒体６の長さが短すぎると、外部からの光によって観察が難しくなり、長すぎると被検査体の交換の際の作業性を悪くする。したがい、筒体６は、二重筒構造や蛇腹構造等の伸縮可能な構造とすることは好ましいことである。型紙４或いは筒体６には紙又は板が用いられるが、紙又は板の素材は耐熱性があり、軽量な素材であれば特に限定されるものではない。
【００１３】
次に、本発明の検査方法について、図面に基づいて説明する。
図１に示した、オーバーヘッドプロジェクタ本体１を用い、集光レンズ３に切り欠いた開口部を有する型紙４を敷いて、型紙４の開口部に被検査体の紡糸口金５を載置し、開口部に位置する被検査体５を上部及び下部が開口した円筒体６で覆い、光源からの光を下方から被検査体の紡糸口金５に照射し、反射鏡８を観ながら、光源部２の光量を調整するとともに投影レンズ７で焦点合わせ及び拡大化し、光の通過により形成され拡大された紡糸口金の紡糸孔の像を反射鏡８で投影し、投影された被検査体の紡糸孔の汚れ、異物の付着・詰まりの有無を目視によって検査する    
【実施例】
【００１４】
以下、本発明を実施例により具体的に説明する。
【００１５】
（実施例１〜４、比較例１〜４）
セルロースジアセテート繊維を乾式紡糸法により製造する際に使用した表１に示す紡糸口金を、アセトン洗浄及び超音波洗浄後、本発明の図１に例示した検査装置及び検査方法で検査を行い、その結果を表１に示した。なお、比較例は従来の個々の孔毎に光学顕微鏡で検査する方法で検査を行ったもので、その結果も併せ表１に示した。表１からも判るように、本発明によれば、比較例の従来の検査方法に比べ検査に要する作業時間が大幅に短縮されていた。
【００１６】
【表１】
2011122955.tif 000003
【産業上の利用可能性】
【００１７】
本発明は、汎用のプロジェクタを利用し、部品を付設して検査装置とし、この装置にて紡糸口金を検査することが可能なるもので、従来の個々の孔毎に光学顕微鏡で検査する方法に比べ検査に要する作業時間が大幅に短縮され、紡糸口金を極めて短時間の作業で検査することが可能でありながら、従来の孔毎に光学顕微鏡で検査する方法と同等の検査精度を有することから、検査に要するランニングコストを低減し、強いては生産コストを低減するものである。
【符号の説明】
【００１８】
１  オーバーヘッドプロジェクタ本体
２  光源部
３  集光レンズ
４  光源からの光を遮光する型紙
５  紡糸口金
６  紙製円筒体
７  投影レンズ
８  反射鏡
【図１】
2011122955.tif 000004
【図２】
2011122955.tif 000005